【手続補正書】
【提出日】平成23年7月25日(2011.7.25)
【手続補正１】
【補正対象書類名】特許請求の範囲
【補正対象項目名】全文
【補正方法】変更
【補正の内容】
【特許請求の範囲】
【請求項１】
動脈の容積を検出することにより血圧情報を測定するための血圧情報測定装置であって、
所定の測定部位に巻き付けるためのカフと、
前記カフ内の圧力を加圧および減圧により調整するための調整手段と、
前記カフ内の圧力を表わすカフ圧を検出するための圧力検出手段と、
前記カフの所定の位置に配置され、前記動脈の容積を示す動脈容積信号を検出するための容積検出手段と、
容積補償法に従い前記血圧情報を測定するための制御を行なう制御手段とを備え、
前記制御手段は、
前記動脈容積信号に基づいて、前記動脈の容積が一定となるように前記調整手段をサーボ制御するためのサーボ制御手段と、
前記動脈容積信号に基づいて、前記サーボ制御手段の制御目標値を検出するための検出処理手段とを含み、
前記検出処理手段は、
前記調整手段を制御することにより、特定の圧力区間においてカフ圧を瞬時に変化させるための調整制御手段と、
前記調整制御手段による制御期間に得られる前記動脈容積信号の変曲点を前記制御目標値として決定するための決定手段とを有し、
前記サーボ制御手段は、前記動脈容積信号の値が、前記決定手段により決定された前記制御目標値と一致するようにサーボ制御する、血圧情報測定装置。
【請求項２】
前記調整制御手段は、被測定者の１心拍以内にカフ圧を変化させる、請求項１に記載の血圧情報測定装置。
【請求項３】
前記決定手段は、前記動脈容積信号の微分値の最大点を検出し、前記最大点が検出された時点の前記動脈容積信号の値を、前記制御目標値として決定する、請求項１または２に記載の血圧情報測定装置。
【請求項４】
前記特定の圧力区間は、所定の第１の圧力値から所定の第２の圧力値までの範囲である、請求項１〜３のいずれかに記載の血圧情報測定装置。
【請求項５】
前記特定の圧力区間は、所定の圧力値から被測定者の最高血圧推定値付近までの範囲である、請求項１〜３のいずれかに記載の血圧情報測定装置。
【請求項６】
前記特定の圧力区間は、被測定者の最低血圧推定値付近から所定の圧力値までの範囲である、請求項１〜３のいずれかに記載の血圧情報測定装置。
【請求項７】
前記特定の圧力区間は、被測定者の最低血圧推定値付近から被測定者の最高血圧推定値付近までの範囲である、請求項１〜３のいずれかに記載の血圧情報測定装置。
【請求項８】
前記特定の圧力区間は、被測定者の平均血圧推定値を中心とした所定の圧力範囲である、請求項１〜３のいずれかに記載の血圧情報測定装置。
【請求項９】
前記調整制御手段は、前記特定の圧力区間におけるカフ圧の変化処理を所定回数実行し、
前記決定手段は、各変化処理で得られた前記動脈容積信号の変曲点の平均値を前記制御目標値として決定する、請求項１〜８のいずれかに記載の血圧情報測定装置。
【請求項１０】
前記調整制御手段は、前記特定の圧力区間におけるカフ圧の変化処理を所定回数実行し、
前記決定手段は、各変化処理で得られた前記動脈容積信号の変曲点の代表値を前記制御目標値として決定する、請求項１〜８のいずれかに記載の血圧情報測定装置。
【手続補正２】
【補正対象書類名】明細書
【補正対象項目名】０００９
【補正方法】変更
【補正の内容】
【０００９】
この発明のある局面に従う血圧情報測定装置は、動脈の容積を検出することにより血圧情報を測定するための血圧情報測定装置であって、所定の測定部位に巻き付けるためのカフと、カフ内の圧力を加圧および減圧により調整するための調整手段と、カフ内の圧力を表わすカフ圧を検出するための圧力検出手段と、カフの所定の位置に配置され、動脈の容積を示す動脈容積信号を検出するための容積検出手段と、容積補償法に従い血圧情報を測定するための制御を行なう制御手段とを備え、制御手段は、動脈容積信号に基づいて、動脈の容積が一定となるように調整手段をサーボ制御するためのサーボ制御手段と、動脈容積信号に基づいて、サーボ制御手段の制御目標値を検出するための検出処理手段とを含む。検出処理手段は、調整手段を制御することにより、特定の圧力区間においてカフ圧を瞬時に変化させるための調整制御手段と、調整制御手段による制御期間に得られる動脈容積信号の変曲点を制御目標値として決定するための決定手段とを有し、サーボ制御手段は、動脈容積信号の値が、決定手段により決定された制御目標値と一致するようにサーボ制御する。
【手続補正３】
【補正対象書類名】明細書
【補正対象項目名】００１８
【補正方法】変更
【補正の内容】
【００１８】
本発明によると、特定の圧力区間を瞬時にカフ圧を変化させ、その期間中に検出される動脈容積信号の変曲点を制御目標値として決定する。したがって、容積補償法による血圧の連続測定に必要な制御目標値を、従来よりもはるかに短時間に決定することができる。
【手続補正４】
【補正対象書類名】明細書
【補正対象項目名】００２０
【補正方法】変更
【補正の内容】
【００２０】
本発明の実施の形態における血圧情報測定装置は、容積補償法に基づいて血圧情報を測定する。本実施の形態において、「血圧情報」とは、循環器系の特徴を示す情報であり、少なくとも脈波を含み、脈波に加え、脈波より算出可能な指標、たとえば、連続的な血圧値（血圧波形）、最高血圧、最低血圧、平均血圧、脈拍数、ＡＩ（Augmentation Index）値等をさらに含む。
【手続補正５】
【補正対象書類名】明細書
【補正対象項目名】００４３
【補正方法】変更
【補正の内容】
【００４３】
血圧決定部１０８は、サーボ制御の期間中、血圧を連続的に決定（測定）する。具体的には、動脈容積検出回路７４からの動脈容積信号およびカフ圧取得部１０２からのカフ圧信号を時系列に取得し、動脈容積値とＶ０との差が所定の閾値以下である時点のカフ圧を血圧として決定する。
【手続補正６】
【補正対象書類名】明細書
【補正対象項目名】００８４
【補正方法】変更
【補正の内容】
【００８４】
なお、本実施の形態では、血圧情報測定装置１は、連続的に血圧を測定することにより血圧波形を測定し、血圧波形データをフラッシュメモリ４３に記録することとしたが、このような形態に限定されるものではない。たとえば、メモリ部４２に一時的に、連続的に得られる血圧を記録しておいて、他の血圧情報をフラッシュメモリ４３に記録するものであってもよい。他の血圧情報としては、たとえば、１拍ごとの最高血圧および最低血圧であってもよい。または、連続的に得られる血圧に基づいた血圧波形に所定のアルゴリズムを適用することで算出可能な、ＡＩ（Augmentation Index）であってもよい。
【手続補正７】
【補正対象書類名】明細書
【補正対象項目名】００８５
【補正方法】変更
【補正の内容】
【００８５】
あるいは、メモリ部４２に一時的に、連続的に得られる血圧を記録しておき、リアルタイムで表示部４０に血圧波形を表示してもよい。
【手続補正８】
【補正対象書類名】明細書
【補正対象項目名】００８８
【補正方法】変更
【補正の内容】
【００８８】
図９（ａ）を参照して、フラッシュメモリ４３に格納される測定データ８０の各々は、一例として「ＩＤ情報」、「記録日時」、「血圧情報」の３つのフィールド８１〜８３を含む。各フィールドの内容について概略すると、「ＩＤ情報」フィールド８１は、各測定データを特定するための識別番号などを格納し、「記録日時」フィールド８２は、計時部４５により計時された、各測定データの測定開始日時や測定期間などの情報を格納する。また、「血圧情報」フィールド８３は、時系列の血圧データすなわち、血圧波形データを格納する。
【手続補正９】
【補正対象書類名】明細書
【補正対象項目名】００９２
【補正方法】変更
【補正の内容】
【００９２】
このように、フラッシュメモリ４３には、血圧情報が記憶される。この血圧情報は、最高血圧、最低血圧、平均血圧などの血圧値の他、脈拍数、ＡＩなど、血圧波形から算出可能な指標をも含んでよい。